(57)【要約】【課題】小さく折り畳むことができ、生産性も高く、かつポール２０に巻き付き難いい鯉のぼり１０を提供すること。【解決手段】口１１を開口状態に保つため口１１の内周部に沿って芯材１３を装着した鯉のぼりであって、芯材としてＪＩＳのＺ１５２７に規定される要件を満たし、かつ縦方向に１８０度屈曲しても折れない弾力性を備えたポリプロピレン製梱包用バンドを用いる。口１１の近辺から背１７にそって少なくとも背びれ１９を超える位置までポリプロピレン製梱包用バンドから成る補強材１８を装着する。口紐１６を左右対称の２個所で口１１に連結する。【選択図】図１
2009148452.tif 000002
【特許請求の範囲】
【請求項１】
口を開口状態に保つため口の内周部に沿って芯材を装着した鯉のぼりであって、前記芯材としてＪＩＳのＺ１５２７に規定される要件を満たし、かつ縦方向に１８０度屈曲しても折れない弾力性を備えたポリプロピレン製梱包用バンドを用いたことを特徴とする鯉のぼり。
【請求項２】
口の近辺から背にそって背びれを超える位置まで前記ポリプロピレン製梱包用バンドから成る補強材を装着したことを特徴とする請求項１に記載の鯉のぼり。
【請求項３】
口紐を左右対称の２個所で口に連結したことを特徴とする請求項１又は請求項２に記載の鯉のぼり。
【発明の詳細な説明】
【技術分野】
【０００１】
本発明は鯉のぼりに関し、よく詳しくは口を開口状態に保つため口の内周部に沿って芯材を装着した鯉のぼりにする。
【背景技術】
【０００２】
従来、この種の鯉のぼりでは芯材として塩ビ素材のロッドが用いられている。芯材は一本のロッドを口の内周部に縫製した帯状の袋部に挿通し、ロッド両端を金具で連結して円形に成形し、もって口を開口状態に保っている。
【特許文献１】なし
【発明の開示】
【発明が解決しようとする課題】
【０００３】
従来の鯉のぼりは、芯材として円形に成形した塩ビ製ロッドを使用しているため、強度が低く、強風に鯉のぼりが曝されると破損するおそれがある。
【０００４】
また、風による破損を防止するため、口紐を少なくとも３個所で連結し、風の力の作用点を分散しているので、口紐の連結作業に手間がかかる。
【０００５】
塩ビ製ロッドは多少の弾力はあっても二つ折りに屈曲すると破損するので、鯉のぼりを小さく畳むことができない。そのため、ケースへの収納や展示に甚だ不便である。
【０００６】
鯉のぼりの口の内周部に縫製した帯状の袋部にロッドを挿通した後、ロッド両端を金具で連結する作業が不可欠であり、生産性が悪い。
【０００７】
また、風が舞うと鯉のぼりを吊したポールに鯉のぼりが巻き付いてしまい、見栄えが悪くなるだけでなく、鯉のぼりの上げ下げがし難い。
【０００８】
本発明はかかる問題点に鑑み、強度に優れ、小さく折り畳むことができ、生産性も高く、かつポールに巻き付き難い鯉のぼりを提供することを目的とする。
【課題を解決するための手段】
【０００９】
上記目的を達成するため請求項１に記載の発明は、口を開口状態に保つため口の内周部に沿って芯材を装着した鯉のぼりであって、前記芯材としてＪＩＳのＺ１５２７に規定される要件を満たし、かつ縦方向に１８０度屈曲しても折れない弾力性を備えたポリプロピレン製梱包用バンドを用いたことを特徴とする。
【００１０】
そして、好ましくは口の近辺から背にそって少なくとも背びれを超える位置まで前記ポリプロピレン製梱包用バンドから成る補強材を装着する。
【００１１】
また、好ましくは口紐を左右対称の２個所で口に連結する。
【発明の効果】
【００１２】
ＪＩＳのＺ１５２７にはポリプロピレン製梱包用バンドに求められる要件として引張強度が９８０Ｎ／１２ｍｍ、１１８０Ｎ／１５．５ｍｍ、１４７０Ｎ／１９ｍｍ以上であること、伸びが２５パーセント以下であることの２要件が定められている。本発明はこの要件を満たすとともに、縦方向に１８０度屈曲しても折れない弾力性を備えたポリプロピレン製梱包用バンドを鯉のぼりの口を開口状態に保つための芯材として用いることを特徴とするものである。市販のポリプロピレン製梱包用バンドはその多くがこれらの要件を満たしている。本発明の発明者は前述した従来の鯉のぼりの欠点を解消するため様々な素材を芯材に用いることを試みたが、意外なことに身近にあって、しかも安価に入手可能な市販のポリプロピレン製梱包用バンドが鯉のぼりの口の芯材として最適であるという知見を得た。本発明はかかる知見に基づいてなされたものである。
【００１３】
上記要件を満たすポリプロピレン製梱包用バンドを口の芯材に用いた鯉のぼりは、強度が大きいので、鯉のぼりが強風に曝されても塩ビロッド製の芯材のように破損するおそれがない。
【００１４】
強度が大きいだけでなく、弾力性に富み、１８０度屈曲可能であるので、口が略閉じるまで折り畳むことができ、小型ケースへの収納が可能となり、また、扁平の形に展示できる。
【００１５】
また、ポリプロピレン製梱包用バンドは芯材として形状が扁平であるとともに、柔軟性に富むので縫製可能である。そのため、鯉のぼりの口の内周部に装着するに際し、帯状の袋部を縫製するとき袋部となる口の縁部折り返し部分の中に包み込んだまま、袋部の縫製を行い、その際、芯材の重ね合わせ部分も同時に縫着できる。従って、予め袋部を縫製してから芯材を袋部に挿通する作業や、挿通した後に芯材の両端を金具を用いて連結する作業を省略できるので、生産性を高めることができる。
【００１６】
また、口から背にそって少なくとも背びれを超える位置まで前記ポリプロピレン製梱包用バンドから成る補強材を装着することにより、鯉のぼりを補強できる。このため、鯉のぼりが風に舞ってもポリプロピレン製梱包用バンドから成る補強材の復元力によってポールに巻き付き難くなる。
【００１７】
さらにまた、ポリプロピレン製梱包用バンドから成る芯材は強度が高いので、強風による破損のおそれが少なく、そのため口紐を２か所で連結するだけで済み、風の力の作用点を３個所以上に分散する必要がない。従って、口紐の連結作業も容易になり、より一層生産性が向上する。
【実施例】
【００１８】
以下に本発明の実施例に係る鯉のぼり１０を図１〜図３に基づき説明する。当該鯉のぼり１０の口１１の部分には帯状の袋部１２が縫製され、袋部１２の内部に口１１を開口状態に保つための芯材としてＪＩＳのＺ１５２７の規格を満たし、かつ１８０度縦方向に屈曲しても折れることのない幅１５．５ｍｍのポリプロピレン製梱包用バンドを用いた芯材１３が装着されている。
【００１９】
図２及び図３に詳細に示すように、芯材１３は袋部１２の内部でその両端１３ａ，１３ｂが重ね合わせられている。そして、袋部１２を縫製した縫い目１４が重ね合わせ部分１３ａ，１３ｂを通過することにより、重ね合わせ部１３ａ，１３ｂで芯材１３の両端が縫着されている。
【００２０】
鯉のぼり１０の口１１には左右対称の２位置に金具１５が固着され、その金具１５に口紐１６が連結されている。
【００２１】
また、鯉のぼり１０の背１７に沿って口１１の芯材１３と同じポリプロピレン製梱包用バンドを用いた補強材１８が装着されている。この補強材１８は口１１から背びれ１９を超える位置まで延びている。
【００２２】
本実施例に係る鯉のぼり１０の構造は以上の通りであって、図１に示すようにポール２１若しくはポール２１に張ったロープ２２に口紐１６を連結して鯉のぼり１０を立てる。
【００２３】
本実施例に係る鯉のぼり１０は口１１の芯材１３にポリプロピレン製梱包用バンドを用いたので、強度が大きく、そのため鯉のぼり１０が強風に曝されても塩ビロッド製の芯材のように破損するおそれがない。
【００２４】
また、１８０度屈曲可能であるので、口１１が略閉じるまで折り畳むことができ、小型ケースへの収納が可能となり、また、扁平の形で展示できる。
【００２５】
芯材１３が扁平で柔軟性に富むので縫製可能である。そのため、鯉のぼり１０の口１１の内周部に装着するに際し、帯状の袋部１２を縫製するとき袋部１２となる口の縁折り返し部分の中に包み込んだまま、袋部１２の縫製を行い、その際、芯材１３の重ね合わせ部分１３ａ，１３ｂも同時に縫着できる。
【００２６】
また、口１１から背１７にそって補強材１８を装着したので、鯉のぼり１０が風に舞っても補強材１８の復元力によってポール２０に巻き付き難くなる。
【００２７】
さらにまた、芯材１３は強度が大きいので、強風による破損のおそれが少なく、そのため口紐１６を２か所で連結するだけで済む。従って、口紐１６の連結作業も容易になり、より一層生産性が向上する。
【００２８】
なお、本実施例では幅１５．５ｍｍのポリエチレン製梱包用バンドを芯材１３と背１７の補強材１８に用いたが、１２ｍｍ幅や１９ｍｍ幅のポリエチレン製梱包用バンドを用いたり、あるいはそれらを縦に分割して細くしたものを用いてもよい。また、背１７の補強材１８は鯉のぼり１０の尾２０の始端付近まで延ばせば、より補強が可能となる。
【図面の簡単な説明】
【００２９】
【図１】本発明の実施例に係る鯉のぼりを示す説明図である。
【図２】同鯉のぼりの口を示す断面図である。
【図３】図２におけるＡ方向矢視図である。
【符号の説明】
【００３０】
１０…鯉のぼり
１１…口
１２…袋部
１３…芯材
１４…縫い目
１５…金具
１６…口紐
１７…背
１８…補強材
１９…背びれ
２０…尾
２１…ポール
２２…ロープ
【図１】
2009148452.tif 000003
【図２】
2009148452.tif 000004
【図３】
2009148452.tif 000005